(57)【特許請求の範囲】
【請求項１】
給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設けたことを特徴とするカートリッジ式給油タンク。
【請求項２】
給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの起立時に、二つの操作ハンドルが交差状態のままでそれぞれの先端把持部が近接するように起立限度を規制する起立限度規制手段を、基板か操作ハンドルの少なくとも一方に設けたことを特徴とするカートリッジ式給油タンク。
【請求項３】
給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの側辺部にそれぞれスライド溝孔を設けるとともに、これらスライド溝孔に連係ピンを関連させたことを特徴とするカートリッジ式給油タンク。
【請求項４】
前記タンク本体側の係止手段と基板側の係合手段との係脱回動角度が略９０度に設定されていることを特徴とする請求項１ないし３に記載されたカートリッジ式給油タンク。
【請求項５】
前記二つの操作ハンドルが略コ字状に折曲加工してなる金属板で作られていることを特徴とする請求項１ないし３に記載されたカートリッジ式給油タンク。
【発明の詳細な説明】
【０００１】
【発明の属する技術分野】
本発明は、石油ファンヒータ等の石油燃焼機器に使用され、内部に灯油等の石油燃料が収容されるカートリッジ式給油タンクに関する。
【０００２】
【従来の技術】
従来一般に、この種のカートリッジ式給油タンクは、タンク本体の底部の給油口筒にねじ部を設け、この給油口筒に開閉弁装置を備えた給油口キャップをねじ結合することにより、給油口キャップを給油口筒に着脱自在に取り付ける構成であるため、給油時に、給油口キャップに付着している石油燃料が手に着き、手が汚れる欠点があった。
【０００３】
上記したカートリッジ式給油タンクの欠点を解決するために、例えば、特公平６−５６２５９号公報に開示されているように、給油口キャップにキャップ開閉具を被せて給油口キャップの着脱操作を行うことにより、給油時に石油燃料で手が汚れないようにしたものや、例えば、実開昭６０−８１４５５号公報に開示されているように、給油口キャップのネジ部の末端にフランジ部を設け、このフランジ部に回動自在に１つの操作ハンドルを設けることにより、給油時に石油燃料で手が汚れないようにしたものが知られている。
【０００４】
しかしながら、特公平６−５６２５９号公報に開示されたものでは、通常の給油タンクの使用時や、石油ファンヒータ等に使用された場合のシーズンオフ時にには、キャップ開閉具が給油タンクとは離れた位置に置かれる関係上、紛失してしまう心配があり、また、実開昭６０−８１４５５号公報に開示されたものでは、操作ハンドルが一つのため、給油口キャップの着脱操作時に操作ハンドルが揺動し易く不安定であると共に、転倒時に操作ハンドルの先端把持部がタンク本体から側方へはみ出さないようにすると、給油口キャップと操作ハンドルの先端把持部までの距離を十分に確保することができないため、操作ハンドルを掴んだ際に、手が給油口キャップに接触して、手を傷付けたり、石油燃料で手を汚したりする心配があった。
【０００５】
また、従来のものでは、給油口キャップと給油口筒とがネジ結合であるため、給油口キャップを着脱する際には、給油口キャップを一回転以上させる必要があり、給油口キャップの着脱が迅速に行えないものであり、特に、給油口キャップに１つの操作ハンドルを設けたものでは、給油口キャップを一回転以上させる場合、操作ハンドルを何度も持ち替える必要があるため、その持ち替える度に、操作ハンドルがフランジ部側に倒れないように別の手で支えなければならず、片手による簡単操作が行えないものであった。
【０００６】
【発明が解決しようとする課題】
本発明は上述の実情に鑑みてなされたものであり、タンク本体から側方へはみ出さない限られたスペースで、給油口キャップと操作ハンドルの先端把持部との距離を十分な長さとすることができると共に、給油口キャップの着脱操作時における操作ハンドルの不安定さを解消し、給油口キャップを簡単操作で迅速に着脱できるようにすることを目的としている。
【０００７】
【課題を解決するための手段】
請求項１に記載の本発明では、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設けた構成である。
【０００８】
請求項２に記載の本発明では、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの起立時に、二つの操作ハンドルが交差状態のままでそれぞれの先端把持部が近接するように起立限度を規制する起立限度規制手段を、基板か操作ハンドルの少なくとも一方に設けた構成である。
【０００９】
請求項３に記載の本発明では、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの側辺部にそれぞれスライド溝孔を設けるとともに、これらスライド溝孔に連係ピンを関連させた構成である。
【００１０】
請求項４に記載の本発明では、請求項１ないし３に記載されたカートリッジ式給油タンクにおいて、タンク本体側の係止手段と基板側の係合手段との係脱回動角度が略９０度に設定されている構成である。
【００１１】
請求項５に記載の本発明では、請求項１ないし３に記載されたカートリッジ式給油タンクにおいて、二つの操作ハンドルが略コ字状に折曲加工してなる金属板で作られている構成である。
【００１２】
【発明の実施の形態】
以下、本発明の一実施形態例を図１ないし図９に基づき説明する。図において、１は石油ファンヒータ等の石油燃焼機器の外装体内に設置した油受けタンク（図示せず）上に倒立させて油受けタンク内に灯油等の石油燃料を補給するカートリッジ式給油タンク本体であり、このタンク本体１は縦長状に形成され、それの一端側壁面の略中央には、給油口としての円筒状の給油口筒２を突出して設けると共に、前記給油口筒２の基部外周に位置してリング状の係止部材３（係止手段）を設けている。また、図２に示すように、前記係止部材３と給油口筒２との間の環状凹部４には第１環状パッキン５を介挿している。
【００１３】
６は前記給油口筒２に外嵌めされる給油口キャップであり、図２に示すように、この給油口キャップ６はそれの内部に配置した第２環状パッキン７を介して前記給油口筒２の先端部に密接するようになっており、そして、この給油口キャップ６の内部には、給油口キャップ６の流出口６Ａを開閉する開閉弁８と、この開閉弁８を常に弾付勢するスプリング９と、連通孔１０を有する弁収容筒１１とから構成された開閉弁装置１２をカシメ結合によって取り付けている。
【００１４】
１３は前記給油口キャップ６を略中央部分に突出させて配設した基板であり、この基板１３の下面側には、スポット溶接等によって係合片形成リング１４が固着してあり、この係合片形成リング１４には、図２、図８及び図９に示すように、前記タンク本体１側の係止部材３に係脱自在に係合する一対の係合片１５、１５（係合手段）が内向きに突出して設けられ、これら一対の係合片１５、１５は、前記給油口キャップ６の配設位置の外側に位置して給油口キャップ６と同心的に設けられるとともに、互いに対向して設けられている。
【００１５】
また、前記基板１３には、持ち運び用の取っ手を兼ねると共に給油口キャップ６の着脱操作を行うための二つの操作ハンドル１６、１７が、互いに前記給油口キャップ６側にのみ起伏するように起伏自在に設けられている。
【００１６】
前記二つの操作ハンドル１６、１７は、それぞれ金属板材にて略コ字状に折曲加工され、前記給油口キャップ６を略中心として基板１３の周縁部の４箇所に立設した立片１８、１９に枢軸アによって両端の基部が回動可能に枢支され、そして、これら操作ハンドル１６、１７は、起立時に、前記立片１８、１９に設けられた突き当り部１８Ａ、１９Ａ（起立限度規制手段）に両側の側辺部１６Ａ、１６Ａ、１７Ａ、１７Ａが突き当ることで、交差状態が保たれて、それぞれの先端把持部１６Ｂ、１７Ｂが近接した状態になり、図３及び図４に示すように、転倒時には、基板１３の上面側に沿って互いに水平状態となり、起伏いずれの状態でも給油口キャップ６は非接触となされている。また、前記二つの操作ハンドル１６、１７のそれぞれの回動角度は、前記突き当り部１８Ａ、１９Ａによって９０度以内（実施形態例では約６０度）に設定されている。
【００１７】
前記係止部材３は、図２、図５、図６及び図７に示すように、タンク本体１へ取り付けるための環状取付壁２０と、この環状取付壁２０の外周縁から立ち上げられた環状立壁２１と、この環状立壁２１の上縁から外向き水平に設けられた上面壁２２と、この上面壁２２の外周縁から垂下した垂下側壁２３とを一体成形してなるものである。
【００１８】
前記係止部材３の上面壁２２には、係合片形成リング１４の係合片１５、１５が通過する大きさの一対の切欠２４、２４が対称位置に設けられ、また、前記垂下側壁２３の対称位置には、前記切欠２４に連続して垂下側壁２３の一部を所定高さ及び所定幅にわたって除去することにより垂下側壁２３の上部に形成した係止壁部２３Ａと、この係止壁部２３Ａの一端部分に形成したストッパー溝２５が設けられている。
【００１９】
図６に示すように、切欠２４を通過して上面壁２２の下側に押し込まれた係合片１５は、切欠２４の位置から時計方向に略９０度回動すると、それの一部が前記ストッパー溝２５に入り込んで停止し、係止壁部２３Ａに確実に係止される。即ち、係止部材３と係合片１５との係脱回動角度θは略９０度に設定されている。
【００２０】
上記構成において、タンク本体１に石油燃料を給油する給油時には、図１に示す状態のように、二つの操作ハンドル１６、１７を起立させ、接近した状態の操作ハンドル１６、１７の先端把持部１６Ｂ、１７Ｂを片手で掴んで、図１で示す状態から略９０度、反時計方向に操作ハンドル１６、１７を回動させる。すると、操作ハンドル１６、１７の回動に伴って基板１３が反時計方向に回動し、ストッパー溝２５に入り込んでいた係合片形成リング１４の係合片１５が、係止部材３の切欠２４の所まで移動して切欠２４に対向した状態となる。そこで、前記操作ハンドル１６、１７を持ち上げると、係合片１５が切欠２４を通過して、基板１３及び給油口キャップ６がタンク本体１から離れ、図５に示すように、タンク本体１の給油口筒２が開口され、給油ポンプ等を用いて、給油口筒２から石油燃料を供給すれば良い。
【００２１】
タンク本体１内への石油燃料の給油が終了したら、再び前記操作ハンドル１６、１７の先端把持部１６Ｂ、１７Ｂを掴んで、給油口キャップ６をタンク本体１の給油口筒２に嵌合させる。その状態で、図示しないタンク本体１側の目印と基板１３側の目印とを合致させると、係合片１５が切欠２４に対応してその切欠２４を通過し、その後、操作ハンドル１６、１７を時計方向に略９０度、回動させる。
【００２２】
上述の操作ハンドル１６、１７の略９０度の回動に伴って、前記係合片１５はそれの一部が係止部材３のストッパー溝２５に入り込み、図２に示すように、第２環状パッキン７を介して給油口キャップ６が給油口筒２に密接し、さらに、基板１３の下面も第１環状パッキン５に圧接することになり、燃料漏れは二重に防止される。また、操作ハンドル１６、１７は、時計方向、反時計方向への約４分の１回転の回動操作で給油口キャップ６の着脱が行えるため、手を持ち替えずに済む。
【００２３】
給油口キャップ６の取り付けが終了したら、操作ハンドル１６、１７を取っ手として利用し、操作ハンドル１６、１７を手で持って、タンク本体１を石油燃焼機器の所に持ち運ぶ。この時、操作ハンドル１６、１７を取っ手として利用すると、給油口キャップ６が上向きとなるため、持ち運び中に、給油口キャップ６に付着した石油燃料を床面等に滴下させないようにできる。
【００２４】
持ち運ばれたタンク本体１は、給油口キャップ６が下向きになるように逆にして石油燃焼機器のタンク収容室（図示せず）に収容する。このタンク収容室への収容時には、操作ハンドル１６、１７は、基板１３に沿って互いに水平状態となるようにすれば良い。この状態では、給油口キャップ６の先端のみが石油燃料に接触しており、基板１３や操作ハンドル１６、１７には石油燃料が接触しない。しかも、操作ハンドル１６、１７は、起伏いずれの状態でも給油口キャップ６に接触することがないので、給油口キャップ６に付着した石油燃料が操作ハンドル１６、１７側に移り着くこともない。その上、操作ハンドル１６、１７は、それらの先端把持部１６Ｂ、１７Ｂを掴んだ状態で、手が給油口キャップ６に接触することのない高さ寸法となっている。そのため、給油口キャップ６に付着した石油燃料に手が触れることがなく、給油時に手が石油燃料で汚れる心配がない。
【００２５】
本実施形態例によれば、給油口キャップ６を略中央に突出して設けた基板１３に、持ち運び用の取っ手を兼ねると共に給油口キャップ６の着脱操作を行うための二つの操作ハンドル１６、１７を互いに給油口キャップ６側にのみ起伏自在となるように設けた構成としたことにより、図３及び図４に示すように、操作ハンドル１６、１７は、所在箇所がタンク本体１の一端側の狭いスペースでありながら、転倒時にそれらの各先端部がタンク本体１の側方へはみ出すことがなく、しかも、起立時においては、それらの先端把持部１６Ｂ、１７Ｂと給油口キャップ６との距離を十分長く確保することが可能となる。従って、操作ハンドル１６、１７を回動操作する時やタンク本体１を持ち運ぶ際に、先端把持部１６Ｂ、１７Ｂを掴んだ手を、給油口キャップ６に接触させないようにでき、給油口キャップ６の先端に手を接触させて傷付けたり、石油燃料で手を汚したりする事態を未然に防止できる。
【００２６】
また、基板１３には、二つの操作ハンドル１６、１７が起伏自在に設けられているので、これら二つの操作ハンドル１６、１７を同時に掴むことにより、一つの操作ハンドルによる不安定さが解消され、給油口キャップ６の着脱操作時における操作ハンドルの安定性を確保できる。
【００２７】
また、給油口キャップ６を設けた基板１３側の係合片１５を、給油口筒２を設けたタンク本体１側の係止部材３に係合、或るいは離脱させることにより、ネジ結合を用いずに、給油口キャップ６を着脱できるので、給油口キャップ６の着脱操作を迅速となせる。
【００２８】
また、基板１３に立設した立片１８、１９には、操作ハンドル１６、１７の起立時に、これら二つの操作ハンドル１６、１７が、交差状態のままでそれぞれの先端把持部１６Ｂ、１７Ｂが近接するように操作ハンドル１６、１７の起立限度を規制する突き当り部１８Ａ、１９Ａを設けた構成としているので、突き当り部１８Ａ、１９Ａにより、操作ハンドル１６、１７の先端把持部１６Ｂ、１７Ｂどおしの接近距離を一定に保って、持ち運び時におけるタンク本体１の揺れを抑えることが可能となると共に、給油口筒２と反対側のタンク本体１に設けられた取っ手（図示せず）を持って、タンク本体１を石油燃焼機器のタンク収容室からの引き出す際には、操作ハンドル１６、１７の先端把持部１６Ｂ、１７Ｂどおしが接近した状態となって、これらの操作ハンドル１６、１７を掴み易くすることが可能となり、また、操作ハンドル１６、１７を下にしたタンク収容室へのタンク本体１の収容時には、各操作ハンドル１６、１７の水平方向への回動を容易とすることができる。
【００２９】
また、タンク本体１側の係止部材３と基板１３側の係合片１５との係脱回動角度θを略９０度に設定したことにより、手を持ち替えずに、約４分の１回転で給油口キャップ６を着脱でき、給油口キャップ６の着脱操作が簡便となり、使い勝手が良好となる。
【００３０】
図１０及び図１１は本発明の他の実施形態例を示すものであり、上述した一実施形態例と同一部分は、同一符号を付して説明を省略する。
【００３１】
図１０及び図１１において、２７、２８は二つの操作ハンドル１６、１７の各側辺部１６Ａ、１６Ａ、１７Ａ、１７Ａにそれぞれ設けた長孔にてなるスライド溝孔（起立限度規制手段）であり、これらスライド溝孔２７、２８は、枢軸アの近傍位置から中央部よりもやや先端部よりまで延設されている。２９、２９は隣接交差して対向するスライド溝孔２７、２８に両端部を挿通させた連係ピン（起立限度規制手段）である。そして、図１１に示すように、前記二つの操作ハンドル１６、１７は、起立時に、スライド溝孔２７、２８及びこれらに関連させた連係ピン２９によって交差状態が保たれて、それぞれの先端把持部１６Ｂ、１７Ｂが近接した状態になり、転倒時には、基板１３の上面側に沿って互いに水平状態となる。この他の実施形態例のものでは、基板１３の立片１８、１９に突き当り部（起立限度規制手段）を設けていないが、設けるようにしても良い。
【００３２】
他の実施形態例によれば、二つの操作ハンドル１６、１７の側辺部１６Ａ、１６Ａ、１７Ａ、１７Ａにそれぞれスライド溝孔２７、２８を設けるとともに、隣接交差して対向するスライド溝孔２７、２８には連係ピン２９を挿通して関連させた構成としているので、二つの操作ハンドル１６、１７のうちのどちらか一方を起伏動作させると他方がそれに連動して起伏動作を行うため、各種のハンドル操作が片手で済み、使い勝手を高めることができる。
【００３３】
【発明の効果】
請求項１に記載の本発明によれば、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設けた構成であるから、転倒時の操作ハンドルのはみ出しを抑えつつ、起立時での操作ハンドルと給油口キャップとの距離を十分長く確保でき、ハンドル操作時に手を傷付けたり、石油燃料で手を汚したりする事態を未然に防止できるとともに、二つの操作ハンドルによって、従来の操作ハンドルの不安定さが解消され、給油口キャップの着脱操作時における操作ハンドルの安定性を確保でき、また、ネジ結合を用いずに給油口キャップを着脱する構成であるため、給油口キャップの着脱操作が操作ハンドルによる簡単操作で迅速に行える。
【００３４】
請求項２に記載の本発明によれば、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの起立時に、二つの操作ハンドルが交差状態のままでそれぞれの先端把持部が近接するように起立限度を規制する起立限度規制手段を、基板か操作ハンドルの少なくとも一方に設けた構成であるから、請求項１に記載の効果に加えて、起立限度規制手段により、操作ハンドルの先端把持部どおしの接近距離を保って、持ち運び時におけるタンクの揺れを抑えることができるとともに、タンクを機器から引き出す際には、操作ハンドルを掴み易くすることができ、しかも、機器への収容時には、操作ハンドルの水平方向への回動を容易とすることができる。
【００３５】
請求項３に記載の本発明によれば、給油口及び係止手段を有するタンク本体と、給油口に密接させる給油口キャップ及びタンク本体側の係止手段に係合させる係合手段を有し、タンク本体に係脱自在に係着される基板とを備え、この基板には持ち運び用の取っ手を兼ねると共に給油口キャップの着脱操作を行うための二つの操作ハンドルを互いに給油口キャップ側にのみ起伏自在として設け、かつ、前記二つの操作ハンドルの側辺部にそれぞれスライド溝孔を設けるとともに、これらスライド溝孔に連係ピンを関連させた構成であるから、請求項１及び２に記載の効果に加えて、二つの操作ハンドルのうちのどちらか一方の起伏動作に連動させて他方の起伏動作を行わせることが可能となり、各種のハンドル操作が片手で済み、取扱を一層簡便となせる。
【図面の簡単な説明】
【図１】本発明の一実施形態例を示すカートリッジ式給油タンクの要部斜視図である。
【図２】同じく要部の断面図である。
【図３】同じく操作ハンドルを倒した状態の平面図である。
【図４】同じく操作ハンドルを倒した状態の要部正面図である。
【図５】同じく給油口キャップを外した状態を示す要部斜視図である。
【図６】同じく係止部材の平面図である。
【図７】同じく係止部材の側面図である。
【図８】同じく係合片形成リングの平面図である。
【図９】同じく係合片形成リングの縦断面図である。
【図１０】本発明の他の実施形態例を示すカートリッジ式給油タンクの操作ハンドルを倒した状態の平面図である。
【図１１】本発明の他の実施形態例を示すカートリッジ式給油タンクの操作ハンドルを起こした状態の要部正面図である。
【符号の説明】
１      カートリッジ式燃料タンク本体
２      給油口筒（給油口）
３      係止部材（係止手段）
６      給油口キャップ
１３      基板
１５      係合片（係合手段）
１６      操作ハンドル
１６Ａ    側辺部
１６Ｂ    先端把持部
１７      操作ハンドル
１７Ａ    側辺部
１７Ｂ    先端把持部
１８Ａ    突き当り部（基板側の起立限度規制手段）
１９Ａ    突き当り部（基板側の起立限度規制手段）
２７      スライド溝孔（操作ハンドル側の起立限度規制手段）
２８      スライド溝孔（操作ハンドル側の起立限度規制手段）
２９      連係ピン（操作ハンドル側の起立限度規制手段）
θ      係脱回動角度
【図１】
0003583886.tif 000002
【図２】
0003583886.tif 000003
【図３】
0003583886.tif 000004
【図４】
0003583886.tif 000005
【図５】
0003583886.tif 000006
【図６】
0003583886.tif 000007
【図７】
0003583886.tif 000008
【図８】
0003583886.tif 000009
【図９】
0003583886.tif 000010
【図１０】
0003583886.tif 000011
【図１１】
0003583886.tif 000012